(57)【特許請求の範囲】
【請求項１】
加工布に縫目を形成するための刺繍データを外部から入力する外部入力手段と、前記刺繍データを記憶する刺繍データ記憶手段とを備えた刺繍ミシンの制御装置において、
前記刺繍データ（１９）は、刺繍加工を実現する一連の動作命令よりなる縫いデータ（２３）と、該縫いデータ（２３）を実行するときの条件である刺繍データ名（２０）、スタート位置（２１）及び刺繍ミシン固有の加工条件である固有データ（２２）からなる条件データ（９１）とよりなり、
前記刺繍データ記憶手段（８１）は、前記縫いデータ（２３）を記憶可能な縫いデータ記憶手段（８６）と、多数の前記条件データ（９１）を記憶可能な条件データ記憶手段（８４）とを備えており、
前記外部入力手段（３，Ｓ４０）によって前記刺繍データ（１９）が入力されると、前記縫いデータ（２３）を縫いデータ記憶手段（８６）により記憶させるとともに、前記条件データ記憶手段（８４）に条件データ（９１）を追記的に記憶させる刺繍データ格納手段（Ｓ１１０）を備えており、
前記刺繍データ記憶手段（８１）に記憶された前記刺繍データ（１９）を削除するときは、該刺繍データ（１９）の縫いデータ（２３）を削除するが、該刺繍データ（１９）の条件データ（９１）は削除しないで記憶されたままにする刺繍データ削除手段（９６）を備えていることを特徴とする刺繍ミシンの制御装置。
【発明の詳細な説明】
【０００１】
【発明の属する技術分野】
本発明は、加工布に縫目を形成するための刺繍データを外部記憶装置や通信等によって外部との間で入出力する手段を備えた刺繍ミシンの制御装置に関するものである。
【０００２】
【従来の技術】
加工布に縫目を形成するための刺繍データは、基本的に加工基準位置を起点とする相対的な針落下位置データの集合よりなるが、これを用いて実際に刺繍加工するには加工基準位置の座標であるスタート位置を決める必要がある。このスタート位置を刺繍加工の都度繰り返して設定する手間を省くために、これが刺繍データに含められ、一旦設定されたスタート位置を保持可能にしていることが多い。例えば特公平５−６１９５５号公報にはこのような刺繍データを用いる刺繍ミシンが記載されている。
【０００３】
この刺繍ミシンは、図１６に示すように、記録媒体１５５に記録された刺繍データを入力し、記憶する刺繍データ記憶手段１５０と、加工布に縫目を形成する縫目形成手段１５１と、加工布を保持する保持手段１５２と、保持手段１５２と縫目形成手段１５１との相対位置を変化させる駆動手段１５３と、刺繍データ記憶手段１５０によって記憶された刺繍情報に基づいて縫目形成手段１５１と駆動手段１５３とを制御する制御手段１５４とを備えることにより同一刺繍模様を繰り返し刺繍する刺繍ミシンにおいて、制御手段１５４が、刺繍データ記憶手段１５０によって記憶された刺繍データに従って初回の制御を開始する際の縫目形成手段１５１と保持手段１５２との相対位置を検出するスタート位置検出部１５６と、スタート位置検出部１５６の検出結果を記憶するスタート位置記憶部１５７とを備えている。
【０００４】
従って、スタート位置記憶部１５７によって記憶されたスタート位置の座標が保持されるため、同じ刺繍加工を繰り返す場合であれば、作業者はスタート位置を繰り返し設定する必要がない。
【０００５】
【発明が解決しようとする課題】
ところが、刺繍データ記憶手段１５０に記憶可能な刺繍データの数は、刺繍ミシンが備えるメモリ容量に制限される。最近のファッションの多様化に伴う多品種少量傾向では、頻繁に色々な刺繍データを記憶させて刺繍をしなければならず、すぐに刺繍データ数の制限を越えてしまう。この場合にメモリを増設しようとすると、刺繍ミシンのコストが高くなってしまう。
【０００６】
このため、刺繍データ記憶手段１５０に記憶された刺繍データを上書きして、別の刺繍データを記録媒体１５５から入力する必要があった。しかし、このようにして上書きされた刺繍データも再度使用される場合が多いため、スタート位置を変更した場合には、刺繍データを上書きする前に記録媒体１５５に出力しておく必要があり面倒であった。また、これを忘れた場合は、再度スタート位置を設定する必要があった。
【０００７】
また、この刺繍データを記録媒体１５５を介して異なる機種の刺繍ミシンに入力して刺繍加工する場合、機種固有の刺繍面積又は枠サイズの違いによっては、その刺繍データのスタート位置で刺繍した場合、刺繍枠からはみ出した位置に刺繍柄が形成されることがある。このため、運転途中で刺繍ができなくなり、不良刺繍製品を作るという問題があった。
【０００８】
本発明の目的は、上記課題を解決し、刺繍データの再利用や、異機種の刺繍ミシン間での刺繍データの流用が容易な刺繍ミシンの制御装置を提供することにある。
【０００９】
【課題を解決するための手段】
異機種の刺繍ミシン間での刺繍データの流用を容易にするには、第１に、加工布に縫目を形成するための刺繍データを外部に出力する外部出力手段を備えた刺繍ミシンの制御装置において、前記外部出力手段は、他の刺繍ミシンにおいて前記刺繍データの使用可否を判断可能なように、当該外部出力手段を備える刺繍ミシン固有の加工条件である固有データを前記刺繍データに付加して出力するようにした。
【００１０】
第２に、加工布に縫目を形成するための刺繍データを外部から入力する外部入力手段を備えた刺繍ミシンの制御装置において、前記外部入力手段は、前記刺繍データを作成した刺繍ミシン固有の加工条件として前記刺繍データに付加された固有データを入力するようにするとともに、該固有データに基づいて前記刺繍データの使用可否を判別する刺繍データ判別手段を備えている。
【００１１】
そして、本発明の刺繍ミシンの制御装置は、加工布に縫目を形成するための刺繍データを外部から入力する外部入力手段と、前記刺繍データを記憶する刺繍データ記憶手段とを備えた刺繍ミシンの制御装置において、前記刺繍データは刺繍加工を実現する一連の動作命令よりなる縫いデータと、該縫いデータを実行するときの条件である刺繍データ名、スタート位置及び刺繍ミシン固有の加工条件である固有データからなる条件データとよりなり、前記刺繍データ記憶手段は、前記縫いデータを記憶可能な縫いデータ記憶手段と、多数の前記条件データを記憶可能な条件データ記憶手段とを備えており、前記外部入力手段によって前記刺繍データが入力されると、前記縫いデータを縫いデータ記憶手段により記憶させるとともに、前記条件データ記憶手段に条件データを追記的に記憶させる刺繍データ格納手段を備えており、前記刺繍データ記憶手段に記憶された前記刺繍データを削除するときは、該刺繍データの縫いデータを削除するが、該刺繍データの条件データは削除しないで記憶されたままにする刺繍データ削除手段を備えている。
【００１２】
前記条件データ記憶手段は、記憶された前記条件データを該条件データに固有の刺繍データ名によって識別可能になっており、前記刺繍データ格納手段は、記憶しようとする前記条件データの前記刺繍データ名と同じ前記刺繍データ名の前記条件データが既に記憶されているときは、該記憶されている条件データの内容を前記記憶しようとする条件データの内容で上書きするようにすることもできる。
【００１３】
なお、「外部に出力する」又は「外部から入力する」とは、特に限定されないが、例えば次の態様を挙げることができる。
（１）外部記憶装置によって外部記憶媒体に書き込みし、又は、外部記憶媒体から読み出しする態様。
【００１４】
（２）通信によって他の刺繍ミシンの制御装置に送信し、又は、他の刺繍ミシンの制御装置から受信する態様。
【００１５】
【発明の実施の形態】
以下、本発明を実施した刺繍ミシンの制御装置の第一実施形態について、図１〜図８を参照して説明する。図２は本刺繍ミシンの制御装置を示し、本制御装置１は、内蔵するコントローラ２（後述）により刺繍ミシンの動作を制御する。制御装置１の前面は、その上側に設けられ操作内容等を表示する表示部６と、該表示部６の下側に設けられ各種の操作スイッチが配設された操作盤５と、該操作盤５の下側に設けられフロッピーディスク４との間で刺繍データ１９を読み書きするディスクドライブ３とより構成されている。
【００１６】
表示部６には、液晶ディスプレー又はＣＲＴ等の表示装置が使用されており、表示部の下部には、各機能キー２５に対応しその機能内容を表示する２つのガイド表示部２６が設けられている。操作盤５は、２つの機能キー２５と、該機能キー２５の下側に設けられた刺繍ミシンの電源スイッチ２７と、該電源スイッチ２７の右側に設けられ運転操作と柄管理や布押え位置変更等の補助操作とを切り替える画面切替キー２８と、該画面切替キー２８の右側に設けられ画面上のカーソルの位置を移動させるカーソルキー２９と、該カーソルキー２９の右側に設けられ柄番号や布押え位置等の数値を入力するテンキー３０とより構成されている。
【００１７】
コントローラ２には、図１に示すように、ディスクドライブ３、操作盤５、枠の位置を検出するエンコーダ７等の入出力装置と、表示部６、針を駆動する主軸モータ８、刺繍枠を駆動する枠駆動機構９等の出力装置とが、それぞれインターフェース（図示略）を介して接続されている。
【００１８】
コントローラ２は、ＣＰＵ（図示略）、読書き可能なメモリ（図示略）等によって実現されており、該メモリには刺繍データ１９を記憶する刺繍データ記憶手段である刺繍データメモリ１１と、一時的な作業用データを記憶するワークメモリ１２とが設けられている。
【００１９】
刺繍データメモリ１１へ刺繍データ１９を外部から入力する外部入力手段は、ディスクドライブ３とファイル入力処理（ステップＳ４０、後述）とからなり、フロッピーディスク４に格納された刺繍データ１９は、ファイル入力処理（ステップＳ４０）によってディスクドライブ３を介して入力され、刺繍データメモリ１１に格納される。このとき、刺繍データ１９は、一旦ワークメモリ１２に格納され、刺繍データ判別処理（ステップＳ５０、後述）によって刺繍データ１９の互換性がチェックされるようになっている。
【００２０】
また、刺繍データメモリ１１から刺繍データ１９を外部へ出力する外部出力手段は、ディスクドライブ３とファイル出力処理（ステップＳ６０、後述）とからなり、刺繍データメモリ１１に格納された刺繍データ１９は、ファイル出力処理（ステップＳ６０）によってディスクドライブ３を介してフロッピーディスク４に出力されるようになっている。
【００２１】
刺繍データメモリ１１は、図３に示すように、ディレクトリ部１５と、刺繍データ部１７とからなる。
【００２２】
刺繍データ部１７は、４つの刺繍データ１９を記憶可能になっており、該刺繍データ部１７内には、刺繍データ１９を記憶するときに、その刺繍データ１９のサイズに応じて刺繍データエリア１８が確保され、それ以外の部分は空きエリア２４となっている。刺繍データ１９は、それを識別するための刺繍データ名２０と、縫いデータ２３の加工基準位置の座標であるスタート位置２１と、刺繍面積や刺繍枠のサイズ等の当該刺繍データ１９を作成した刺繍ミシンに固有な情報である固有データ２２と、加工基準位置を起点とする相対的な針落下位置データの集合よりなる縫いデータ２３とからなっている。なお、刺繍データ名２０は、フロッピーディスク４に記憶されるときに、ファイル名として使用される。
【００２３】
ディレクトリ部１５は、配列構造の４つの刺繍データアドレス１６を備え、４つの刺繍データ１９が登録可能になっている。そして、該配列のインデックス番号（１〜４）を指定して、刺繍データ部１７に格納された刺繍データ１９を取り出すことができるようになっている。各刺繍データアドレス１６は、刺繍データ１９が記憶されるときに確保された刺繍データエリア１８の先頭アドレスと最終アドレスが格納されており、刺繍データ１９が格納されていない場合は、０が格納されている。図３は、４つの刺繍データ１９が既に格納された状態を示している。
【００２４】
次に、ファイル入力処理（ステップＳ４０）について、図４のフローチャートを参照しながら説明する。本処理はフロッピーディスク４上のファイルに記憶されている刺繍データ１９を刺繍データメモリ１１に入力するものであり、図２に示す画面において、作業者によりガイド表示部２６に「ＦＤ入力」と示された機能キー２５ａが押されると、コントローラ２は本処理を実行する。まず、コントローラ２はディスクドライブ３を用いて、フロッピーディスク４に記憶された全ファイルのファイル名及びサイズを入力し（ステップＳ４１）、それを、図７に示すように、一覧表にして表示部６に画面表示する（ステップＳ４２）。
【００２５】
図７において、表示部６の略中央には、フロッピーディスク４に格納された各ファイルの情報が表示されており、各ファイルごとに、ファイルの識別番号と、ファイル名と、ファイルのサイズとが表示されている。識別番号が「０５」の行にはカーソル（ハッチング）が表示されており、この行のファイルが入力対象となっていることを示している。カーソルを移動するには、上下方向のカーソルキー２９を押下する。
【００２６】
画面の左上側において、フロッピーディスクの図形の右側にはカーソルが表示されたファイルの識別番号（「０５」）が表示されており、カーソルが移動されると、それに伴って該番号表示も変更されるようになっている。フロッピーディスクの図形の下方であって、下向きの矢印図形の先には「＃」とともに数字「０１」が表示されており、該数字は刺繍データ１９の入力先である刺繍データメモリ１１のディレクトリ部１５のインデックス番号を示している。該インデックス番号を変更するには、テンキー３０の「＃」を押下した後、変更しようとするインデックス番号を入力する（ステップＳ４３）。
【００２７】
作業者によってガイド表示部２６に「実行」と表示された機能キー２５ａが押されると（ステップＳ４４）、コントローラ２は指定された刺繍データ１９をフロッピーディスク４から入力し、一旦ワークメモリ１２に格納する（ステップＳ４５）。また、ガイド表示部２６に「中止」とガイド表示された機能キー２５ｂが押されると（ステップＳ４４）、すぐに読出処理を終了する（ステップＳ４９）。
【００２８】
ワークメモリ１２に読み込まれた刺繍データ１９は、固有データ２２に基づいて刺繍データ１９の使用可否を判別する刺繍データ判別手段である刺繍データ判別処理（ステップＳ５０、後述）によって当該刺繍ミシンと互換性がある刺繍ミシンによって作成されたものかどうかがチェックされる（ステップＳ４６）。その結果、互換性がなく、作業者から入力の中止が指示された場合は（ステップＳ４７）、コントローラ２はすぐに処理を終了し（ステップＳ４９）、そうでない場合は（ステップＳ４７）、ワークメモリ１２に格納された刺繍データ１９を刺繍データメモリ１１に格納して（ステップＳ４８）、処理を終了する（ステップＳ４９）。
【００２９】
刺繍データ判別処理（ステップＳ５０）について、図５に示すフローチャートを参照しながら説明すると、コントローラ２はワークメモリ１２に読み込まれた刺繍データ１９の固有データ２２を参照し、当該刺繍ミシンと互換性のある刺繍ミシンによって作成されたものかをチェックする（ステップＳ５１）。
【００３０】
互換性がある刺繍ミシンによって作成された刺繍データ１９であれば、処理結果として「互換性あり」を格納し（ステップＳ５２）、本処理の呼出元にリターンする（ステップＳ５６）。互換性のない刺繍ミシンによって作成された刺繍データ１９であれば、図８に示すように、その旨の警告を表示部６に表示し（ステップＳ５３）、作業者に刺繍データ１９の入力を続行するかどうかの確認を求める（ステップＳ５４）。作業者がガイド表示部２６に「はい」とガイド表示された機能キー２５ａか、又は「いいえ」とガイド表示された機能キー２５ｂを押下すると、その押下された確認内容を処理結果として格納し（ステップＳ５５）、本処理の呼出元にリターンするようになっている（ステップＳ５６）。
【００３１】
次に、ファイル出力処理（ステップＳ６０）について、図６に示すフローチャートを参照しながら説明すると、図２において、作業者によりガイド表示部２６に「ＦＤ出力」と表示された機能キー２５ｂが押されると、コントローラ２は本処理を実行し、出力対象の刺繍データ１９及び出力先のファイルを指定する入力画面を表示して（ステップＳ６１）、作業者にそれらを指定させる（ステップＳ６２）。そして、作業者の指定内容に従って固有データ２２を含む刺繍データ１９をフロッピーディスク４に出力し（ステップＳ６３）、処理を終了する（ステップＳ６４）。
【００３２】
このように構成された刺繍ミシンによれば、刺繍データ１９に固有データ２２を付加しているので、異なる機種の刺繍ミシンによって作成された刺繍データ１９の使用可否が容易に判断できる。従って、刺繍データ１９を通信や外部記録媒体を介して異なる機種の刺繍ミシンに入力して刺繍加工する場合に、機種固有の刺繍面積又は枠サイズの違いによって運転途中で刺繍ができなくなり、不良刺繍製品を作ってしまうという問題は生じない。
【００３３】
次に、図９〜図１５は、第二実施形態に係る刺繍ミシンの制御装置を示している。本実施形態は次の点においてのみ第一実施形態と相違している。
【００３４】
本実施形態においては、刺繍データ１９は、刺繍データ名２０、スタート位置２１及び固有データ２２からなる条件データ９１と、縫いデータ２３とに分離されて管理される。刺繍データメモリ８１は図１０に示すように、ディレクトリ部８２と、条件データ９１を記憶する条件データ記憶手段である条件データ記憶部８４と、縫いデータ２３を記憶する縫いデータ記憶手段である縫いデータ記憶部８６とからなる。
【００３５】
ディレクトリ部８２は配列構造の４つの刺繍データエントリ８３を備え、４つの刺繍データ１９が登録可能になっている。刺繍データエントリ８３は、後述する条件データ９１の格納先アドレスである条件データアドレス８９と、後述する縫いデータ２３が格納された縫いデータエリア８７の先頭アドレスと最終アドレスからなる縫いデータアドレス９０から構成されている。
【００３６】
条件データ記憶部８４は配列構造の条件データエリア８５を２０個備え、２０個の条件データ９１を格納可能になっている。該条件データ９１は、刺繍データ１９を識別するための刺繍データ名２０と、縫いデータ２３の加工基準位置の座標であるスタート位置２１と、刺繍面積や刺繍枠のサイズ等の当該刺繍データ１９を作成した刺繍ミシンに固有な情報である固有データ２２とからなる。
【００３７】
縫いデータ記憶部８６は、加工基準位置を起点とする相対的な針落下位置データの集合である縫いデータ２３を４つ格納可能になっている。
【００３８】
ファイル入力処理（ステップＳ４０）のステップＳ４８においては、本実施形態の刺繍データ格納手段である刺繍データ格納処理（ステップＳ１１０）が実行される。該処理を図１１を参照して説明すると、まず、入力対象の刺繍データ１９のファイル名をキーにして条件データ記憶部８４に格納された各条件データ９１の刺繍データ名２０を検索する（ステップＳ１１１）。
【００３９】
条件データ記憶部８４に既に入力対象のファイル名と同一名の刺繍データ名２０が格納されていれば（ステップＳ１１２）、その条件データ９１が格納された条件データエリア８５のアドレスを入力先の刺繍データエントリ８３に設定し（ステップＳ１１３）、該条件データエリア８５に既に格納されている条件データを上書きするかどうかを作業者に問い合わせる画面（図１２）を表示する（ステップＳ１１４）。作業者が、ガイド表示部２６に「はい」が表示された機能キー２５ａを押下すると、ワークメモリ１２に格納された条件データ９１を条件データエリア８５に上書きして格納し（ステップＳ１１６）、「いいえ」が表示された機能キー２５ｂを押下すると、条件データエリア８５を上書きしない（ステップＳ１１５）。
【００４０】
条件データ記憶部８４に入力対象のファイル名と同一名の刺繍データ名２０が格納されていなければ（ステップＳ１１２）、条件データエリア８５のうち、未使用のものが確保される。このとき、未使用のものがなければ、いずれの条件データアドレス８９からも参照されていない条件データエリア８５のうちから公知の追い出しアルゴリズムによっていずれかの条件データエリア８５が選択（確保）される（ステップＳ１１７）。そして、確保した条件データエリア８５のアドレスを入力先の刺繍データエントリ８３に設定し（ステップＳ１１８）、該条件データエリア８５にワークメモリに格納された条件データ９１を格納する（ステップＳ１１９）。
【００４１】
最後に縫いデータ記憶部８６に縫いデータエリア８７を確保し、該縫いデータエリア８７のアドレスを入力先の刺繍データエントリ８３に設定する。そして、その縫いデータエリア８７に縫いデータ２３を格納し（ステップＳ１２０）、処理を終了する（ステップＳ１２１）。
【００４２】
次に、刺繍データ格納処理（ステップＳ１１０）における動作について具体例に基づいて詳述する。図１３は、４つの刺繍データ１９が格納されている状態を示している。格納されている各刺繍データ１９の刺繍データ名２０は、「ＣＬＯＶＥＲ」、「ＤＩＡＭＯＮＤ」、「ＳＰＡＤＥ」、「ＨＥＡＲＴ」である（以下、単にこれら刺繍データ名２０のみを示しているときは刺繍データ１９を示すものとする）。
【００４３】
この状態で、新たに「ＬＩＮＥ」を「ＣＬＯＶＥＲ」に上書きして刺繍データメモリ８１に格納することを作業者から指示されると、刺繍データ格納処理（ステップＳ１１０）において、刺繍データ名２０が「ＬＩＮＥ」となっている条件データ９１が検索される（ステップＳ１１１）。しかし、そのような条件データ９１がないため（ステップＳ１１２）、新たに条件データエリア８５ｅが確保され（ステップＳ１１７）、そのアドレスが刺繍データエントリ８３ａに格納される（ステップＳ１１８）。そして、条件データ９１がその条件データエリア８５ｅに格納され（ステップＳ１１９）、処理が終了される（ステップＳ１２１）。このときの状態を、図１４に示す。このように、縫いデータエリア８７ａに格納された「ＣＬＯＶＥＲ」の縫いデータ２３は、「ＬＩＮＥ」の縫いデータ２３によって上書きされるが、「ＣＬＯＶＥＲ」の条件データ９１は刺繍データメモリ８１上の条件データエリア８５ａに記憶されたままになっている。
【００４４】
作業者から、再度「ＣＬＯＶＥＲ」を刺繍データメモリ８１に記憶するように指示されると、刺繍データ格納処理（ステップＳ１１０）において、刺繍データ名２０が「ＬＩＮＥ」となっている条件データ９１が検索される（ステップＳ１１１）。そして、刺繍データ名「ＣＬＯＶＥＲ」の条件データ９１が条件データエリア８５ａに記憶されているため（ステップＳ１１２）、該条件データエリア８５ａのアドレスが刺繍データエントリ８３ａに格納され（ステップＳ１１３）、条件データエリア８５ａに記憶された既存の条件データ９１を上書きするかどうかを問い合わせる画面が表示される（ステップＳ１１４）。作業者が既存の条件データ９１を使用するために「いいえ」を選択すると、条件データエリア８５ａの内容は変更されずに（ステップＳ１１５）、縫いデータ２３のみが縫いデータエリア８７ａに格納されて（ステップＳ１２０）、処理が終了される（ステップＳ１２１）。このときの状態を、図１５に示す。
【００４５】
このように、「ＣＬＯＶＥＲ」が「ＬＩＮＥ」によって上書きされても、「ＣＬＯＶＥＲ」の条件データ９１は、条件データ記憶部８４に記憶されたままになっているため、再度「ＣＬＯＶＥＲ」をファイルから入力したときに、条件データ記憶部８４に記憶されたままになっている条件データ９１を再度使用することができる。従って、例えば、スタート位置２１を変更した「ＣＬＯＶＥＲ」の内容をファイルに保存し忘れたときでも、刺繍データメモリ８１上に記憶されたままの条件データを使用できるため、スタート位置２１を設定し直す手間がかからない。
【００４６】
なお、刺繍データメモリ８１に記憶された刺繍データ１９を削除するときは、刺繍データ削除処理９６が実行され、該処理は縫いデータ２３を削除し、刺繍データエントリ８３の内容を消去するが、条件データエリア８５の内容は削除しないようになっている。従って、一旦削除した刺繍データ１９を再度ファイルから入力するときは、条件データ９１が刺繍データメモリ８１上に記憶されたままになっているため、作業者の選択により（ステップＳ１１５）、刺繍データメモリ８１上に記憶された条件データ９１を使用することができる。
【００４７】
このように構成された刺繍ミシンの制御装置１によれば、刺繍データ１９を条件データ９１と縫いデータ２３に分離し、刺繍データ１９が上書き又は削除される場合でも、条件データ９１を可能な限り刺繍データメモリ８１に記憶したままにするようにしている。従って、変更した条件データ９１の内容をフロッピーディスク４に出力し忘れた場合でも、刺繍データ格納処理（ステップＳ１１０）において、刺繍データメモリ８１に記憶したままになっている条件データ９１を再利用することができ、条件データ９１を設定し直さなくても済む。
【００４８】
なお、本発明は前記実施形態の構成に限定されず、例えば以下のように、発明の趣旨から逸脱しない範囲で適宜変更して具体化することもできる。
（１）入出力をディスクドライブでなく、通信により行なうように変更すること。
（２）入力時のみならず、刺繍加工時においても、固有条件に基づいて刺繍加工の可否を判断する手段を設けること。
【００５０】
【発明の効果】
以上詳述したように、請求項１の発明に係る刺繍ミシンの制御装置によれば、刺繍データを削除するとき、該刺繍データの縫いデータは削除するが、該刺繍データの条件データは削除しないで記憶されたままにするので、一旦削除した刺繍データを再度入力するときに、記憶されたままの条件データを再利用することができ、条件データを設定し直さなくても済む。
【図面の簡単な説明】
【図１】本発明を具体化した第一実施形態の刺繍ミシンの制御装置の制御ブロック図である。
【図２】同制御装置の正面図である。
【図３】同制御装置の刺繍データメモリのメモリマップである。
【図４】同制御装置のファイル入力処理の流れを示すフローチャートである。
【図５】同制御装置の刺繍データ判別処理の流れを示すフローチャートである。
【図６】同制御装置のファイル出力処理の流れを示すフローチャートである。
【図７】同制御装置のファイル入力処理におけるファイル一覧表示画面を示す図である。
【図８】同制御装置の刺繍データ判別処理における警告画面表示を示す図である。
【図９】本発明を具体化した第二実施形態の刺繍ミシンの制御装置の制御ブロック図である。
【図１０】同制御装置の刺繍データメモリのメモリマップである。
【図１１】同制御装置の刺繍データ格納処理の流れを示すフローチャートである。
【図１２】同刺繍データ格納処理における警告画面表示を示す図である。
【図１３】同刺繍データ格納処理の動作例における刺繍データメモリの初期状態を示すメモリマップである。
【図１４】同刺繍データ格納処理の動作例における刺繍データメモリの状態を示すメモリマップである。
【図１５】同刺繍データ格納処理の動作例における刺繍データメモリの別の状態を示すメモリマップである。
【図１６】従来の刺繍ミシン基本構成を示すブロック図である。
【符号の説明】
１    制御装置
３    ディスクドライブ
４    フロッピーディスク
１１    刺繍データメモリ
１９    刺繍データ
２２    固有データ
２３    縫いデータ
Ｓ４０    ファイル入力処理
Ｓ５０    刺繍データ判別処理
Ｓ６０    ファイル出力処理
８１    刺繍データメモリ
８４    条件データ記憶部
８６    縫いデータ記憶部
９１    条件データ
Ｓ１１０    刺繍データ格納処理
【図１】
0003994204.tif 000002
【図２】
0003994204.tif 000003
【図３】
0003994204.tif 000004
【図４】
0003994204.tif 000005
【図５】
0003994204.tif 000006
【図６】
0003994204.tif 000007
【図７】
0003994204.tif 000008
【図８】
0003994204.tif 000009
【図９】
0003994204.tif 000010
【図１０】
0003994204.tif 000011
【図１１】
0003994204.tif 000012
【図１２】
0003994204.tif 000013
【図１３】
0003994204.tif 000014
【図１４】
0003994204.tif 000015
【図１５】
0003994204.tif 000016
【図１６】
0003994204.tif 000017